(57)【要約】【課題】木製キッチンカウンターに形成された加熱調理機器取付け用の開口の周縁表面にも耐熱性を付与し、しかも、加熱調理機器取付け用の開口の周縁に表面から木口にかけて簡便に耐熱性を付与する。【解決手段】木製キチンカウンター１に形成された略矩形形状を有する加熱調理機器取付け用の開口２の周縁に、表面から木口を覆う金具３、４が配設される。【選択図】図１
2007289380.tif 000002
【特許請求の範囲】
【請求項１】
木製キチンカウンターに形成された略矩形形状を有する加熱調理機器取付け用の開口の周縁に、表面から木口を覆う金具が配設されることを特徴とする木製キッチンカウンターへの加熱調理機器の取付構造。
【請求項２】
加熱調理機器取付け用の開口の少なくとも前後縁に配設される金具は、木製キッチンカウンターの裏面をも覆う請求項１記載の木製キッチンカウンターへの加熱調理機器の取付構造。
【請求項３】
金具は、加熱調理機器取付け用の開口の前後左右の縁に対応した４つの分割金具からなり、隣り合って配置される分割金具の間に対応する加熱調理機器取付け用の開口の四隅にアルミニウム製テープが配設される請求項１または２記載の木製キッチンカウンターへの加熱調理機器の取付構造。
【請求項４】
金具はステンレス製である請求項１ないし３いずれか１項に記載の木製キッチンカウンターへの加熱調理機器の取付構造。
【発明の詳細な説明】
【技術分野】
【０００１】
本願発明は、木製のキッチンカウンターにガスコンロや電磁調理機器などの加熱調理機器を取り付けるための取付構造に関する。
【背景技術】
【０００２】
加熱調理機器が発生する熱によって、樹脂製、木製などのキッチンカウンターに形成された加熱調理機器取付け用の開口の周縁に、割れや変形などが生ずるのを抑制するために、開口周縁に断熱性を有するスペーサー部材を配設することを本出願人は先に提案している（特許文献１）。
【特許文献１】特開２００２−２９１５４８号公報
【発明の開示】
【発明が解決しようとする課題】
【０００３】
しかしながら、スペーサー部材は、開口に突出させた、キッチンカウンターを裏面より支持する裏桟材の上に載置されて固定されるため、開口の木口に耐熱性を付与することができる一方で、加熱調理機器のトッププレートは開口周縁のキッチンカウンターの表面に載置されるので、耐熱性が必ずしも十分であるとはいいがたい。特に、キッチンカウンターが木製の場合、加熱調理機器のトッププレートが載置される開口周縁の表面にも耐熱性を付与することは、防火という観点から非常に重要である。そして、木製キッチンカウンターに形成された加熱調理機器取付け用の開口の周縁に表面から木口にかけて簡便に耐熱性を付与することが望まれる。
【０００４】
本願発明は、このような事情に鑑みてなされたものであり、木製キッチンカウンターに形成された加熱調理機器取付け用の開口の周縁表面にも耐熱性を付与することができ、しかも、加熱調理機器取付け用の開口の周縁に表面から木口にかけて簡便に耐熱性を付与することができる木製キッチンカウンターへの加熱調理機器の取付構造を提供することを課題としている。
【課題を解決するための手段】
【０００５】
本願発明は、上記の課題を解決するために、第１に、木製キチンカウンターに形成された略矩形形状を有する加熱調理機器取付け用の開口の周縁に、表面から木口を覆う金具が配設されることを特徴としている。
【０００６】
本願発明は、第２に、加熱調理機器取付け用の開口の少なくとも前後縁に配設される金具は、木製キッチンカウンターの裏面をも覆うことを特徴としている。
【０００７】
本願発明は、第３に、金具は、加熱調理機器取付け用の開口の前後左右の縁に対応した４つの分割金具からなり、隣り合って配置される分割金具の間に対応する加熱調理機器取付け用の開口の四隅にアルミニウム製テープが配設されることを特徴としている。
【０００８】
本願発明は、第４に、金具はステンレス製であることを特徴としている。
【発明の効果】
【０００９】
本願の第１の発明によれば、金具は、木製キチンカウンターに形成された略矩形形状を有する加熱調理機器取付け用の開口の周縁を表面から木口を覆うため、加熱調理機器取付け用の開口の周縁において木口ばかりでなく表面にも耐熱性を付与することができ、また、放熱効果もあるので、加熱調理機器のトッププレートが載置されても、木製キッチンカウンターには伝熱しにくく、木製キッチンカウンターの温度上昇を抑えることができる。
【００１０】
本願の第２の発明によれば、加熱調理機器取付け用の開口の少なくとも前後縁に配設される金具は、木製キッチンカウンターの裏面をも覆うため、加熱機調理器取付け用開口の前縁側では、加熱調理機器の直下に配設されるオーブンのグリルが万一閉め忘れられても、熱が木製キッチンカウンターの裏面に伝わるのを防止することができ、また、加熱調理機器取付け用の開口の後縁側では、加熱調理機器の排気口を通じて放出される熱が木製キッチンカウンターの裏面に伝わるのを防止することができる。木製キッチンカウンターの耐熱性が一層向上する。
【００１１】
本願の第３の発明によれば、金具は、加熱調理機器取付け用の開口の前後左右の縁に対応した４つの分割金具からなるため、加熱調理機器取付け用の開口周縁への金具の配設が簡便となる。隣り合って配置される分割金具の間に対応する加熱調理機器取付け用の開口の四隅にはアルミニウム製テープが配設されるため、分割金具を用いても開口の全周縁に耐熱性および放熱性を付与することができる。
【００１２】
本願の第４の発明によれば、ステンレスは、木製キッチンカウンターに熱を伝えにくいが、木製キッチンカウンターの外に放熱することのできる耐熱性と放熱性が適度にバランスの取れた熱伝導性を有するため、木製キッチンカウンターの温度上昇をより低く抑えることができる。
【発明を実施するための最良の形態】
【００１３】
図１は、本願発明の木製キッチンカウンターへの加熱調理機器の取付構造の一実施形態を示した要部斜視図である。
【００１４】
木製キッチンカウンター１に、略矩形形状を有する加熱調理機器取付け用の開口２が形成されている。開口２に取付け可能な加熱調理機器は、ガスコンロが一般に例示されるが、木製キッチンカウンター１であることから、防火性をより高めるためには、火力を用いない電磁調理器が好適である。
【００１５】
開口２の略周縁に表面から木口を覆う金具が配設されている。金具は、前後左右の縁に対応させて４つに分割されており、開口２の前後縁、左右縁に、それぞれ、一対とした分割金具３、４が装着されている。分割金具３、４は、図２（ａ）（ｂ）にそれぞれ示される。
【００１６】
開口２の前後縁に装着される分割金具３は、図２（ａ）に示したように、開口２の前後縁において木製キッチンカウンター１の表面に被着される細長長方形状の上片３１と、上片３１の長手方向の一端縁から垂下し、開口２の木口に被着される縦片３２と、縦片３２の下端縁から上片３１と平行に延設され、開口２の前後縁において木製キッチンカウンター１の裏面に被着される下片３３とを備えた、断面略コ字型形状の金具である。
【００１７】
一方、開口２の左右縁に装着される分割金具４は、図２（ｂ）に示したように、開口２の左右縁において木製キッチンカウンター１の表面に被着される細長長方形形状の上片４１と、上片４１の長手方向の一端縁から垂下し、開口２の木口に被着される縦片４２とを備えた、断面略Ｌ字型の金具である。
【００１８】
これらの分割金具３、４は、それぞれ、開口２の縁に図３（ａ）（ｂ）に示したように装着されている。図３（ａ）（ｂ）は、それぞれ、図１図中のＡ−Ａ断面図、Ｂ−Ｂ断面図である。
【００１９】
図３（ａ）に示したように、分割金具３は、上片３１が、開口２の前後縁において木製キッチンカウンター１の表面に当接配置され、縦片３２が木口に接触し、木製キッチンカウンター１の裏面に回り込み、下片３３が、木製キッチンカウンター１の裏面に接触して木製キッチンカウンター１の開口２の前後縁に固定される。固定には接着剤とビスを用いることができる。上片３１および縦片３２は、分割金具３において露出する部分であるので、接着剤による固定が好ましく、下片３３は露出しないので、より強固に固定するために、接着剤に併せてビスを下面から木製キッチンカウンター１に向けてねじ込むことができる。接着剤には、たとえばシリコン系などの各種接着剤が例示される。
【００２０】
図３（ｂ）に示したように、分割金具４は、上片４１が、開口２の前後縁において木製キッチンカウンター１の表面に当接配置され、縦片４２が木口に接触して木製キッチンカウンター１の開口２の前後縁に固定される。分割金具４において上片４１および縦片４２はともに露出する部分であるので、固定には接着剤を用いるのが好ましい。接着剤には、たとえばシリコン系などの各種接着剤が例示される。
【００２１】
このように、図１に示した木製キッチンカウンターへの加熱調理機器の取付構造では、木製キッチンカウンター１に形成された略矩形形状を有する加熱調理機器取付け用の開口２の周縁に、木口ばかりでなく表面をも覆う金具が配設されるため、開口２の周縁において木口とともに表面にも耐熱性を付与することができ、また、放熱効果もあるので、加熱調理機器のトッププレートが載置されても、木製キッチンカウンター１には伝熱しにくく、木製キッチンカウンター１の温度上昇を抑えることができる。
【００２２】
また、開口２の前後縁に装着される分割金具３は、下片３３によって木製キッチンカウンター１の裏面をも覆うため、開口２の前縁側では、加熱調理機器の直下に配設されるオーブンのグリルが万一閉め忘れられても、熱が木製キッチンカウンター１の裏面に伝わるのを防止することができる。また、開口２の後縁側では、加熱調理機器の排気口を通じて放出される熱が木製キッチンカウンター１の裏面に伝わるのを防止することができる。木製キッチンカウンター１の耐熱性が一層向上する。
【００２３】
このような木製キッチンカウンター１の裏面を覆う下片３３は、加熱調理機器から木製キッチンカウンター１への伝熱をより効果的に防止するために、図２（ａ）および図３（ａ）に示したように、上片３１より幅広で横長の形状とすることができる。また、下片３３と同様な片は、分割金具４にも設けることができる。一般には、木製キッチンカウンター１が上置き固定されるキャビネットでは、ユニット側板が開口２の左右縁の近傍下部に配置されるので、開口２の左右縁において木製キッチンカウンター１の裏面に伝わる熱は小さく、分割金具４では省略してもかまわない。
【００２４】
また、図１に示した木製キッチンカウンターへの加熱調理機器の取付構造では、金具が、開口２の前後縁、左右縁に対応して４つに分割された分割金具３、４からなるため、開口２の周縁への金具の配設が簡便となっている。
【００２５】
なお、この場合、隣り合って配置される分割金具３、４の間に対応する開口２の四隅には、図１に示したように、アルミニウム製テープ５を配設し、開口２の全周縁に耐熱性および放熱性を付与するようにする。アルミニウム製テープ５の配設は貼付により行うことができる。このように、開口２の四隅には、金具でなく、アルミニウム製テープ５を使用することができるため、耐熱性および放熱性の付与を安価に実現することができる。
【００２６】
そして、分割金具３、４などからなる金具は、たとえばステンレス製とすることができる。ステンレスは、木製キッチンカウンター１に熱を伝えにくいが、木製キッチンカウンター１の外に放熱することのできる耐熱性と放熱性が適度にバランスの取れた熱伝導性を有する。このため、木製キッチンカウンター１の温度上昇をより低く抑えることができる。金具をアルミニウム製とする場合には、放熱性に優れるが、熱が木製キッチンカウンター１に伝わり過ぎてしまい、木製キッチンカウンター１の温度上昇が大きくなり、木製キッチンカウンター１が焦げてしまう。また、金具の開口２の周縁表面を覆う部分、具体的には、分割金具３においては上片３１、分割金具４においては上片４１、の表面はエンボス加工されていることが好ましい。エンボス加工によって形成される小突起により、載置される加熱調理機器のトッププレートのずれが摩擦によって防止されるとともに、金具とトッププレートとの間に微小な放熱空間が形成されるため、木製キッチンカウンター１の温度上昇の軽減に有効となる。
【００２７】
木製キッチンカウンター１には、図３（ａ）（ｂ）に示したように、合板１１の表裏面に化粧用の突板１２が貼着され、木口に無垢材１３が貼着されたものが例示される。
【００２８】
このような木製キッチンカウンター１に対して、開口２の周縁に図１に示した分割金具３、４（ステンレス製）およびアルミニウム製テープ５を配設し、加熱調理機器およびオーブンを使用した時の温度上昇を測定したところ、ガスコンロおよびオーブンレンジの使用でΔ８℃、電磁調理器および電子オーブンの使用でΔ５℃という温度上昇の軽減が確認された。
【図面の簡単な説明】
【００２９】
【図１】本願発明の木製キッチンカウンターへの加熱調理機器の取付構造の一実施形態を示した要部斜視図である。
【図２】（ａ）（ｂ）は、それぞれ、図１に示した分割金具の斜視図である。
【図３】（ａ）（ｂ）は、それぞれ、図１図中のＡ−Ａ断面図、Ｂ−Ｂ断面図である。
【００３０】
１    木製キッチンカウンター
１１    合板
１２    突板
１３    無垢材
２    開口
３    分割金具
３１    上片
３２    縦片
３３    下片
４    分割金具
４１    上片
４２    縦片
５    アルミニウム製テープ
【図１】
2007289380.tif 000003
【図２】
2007289380.tif 000004
【図３】
2007289380.tif 000005